【手続補正書】
【提出日】平成24年2月6日(2012.2.6)
【手続補正１】
【補正対象書類名】明細書
【補正対象項目名】００６４
【補正方法】変更
【補正の内容】
【００６４】
【表３】
2011514917.tif 000001
1表１の脚注を参照。
次に、本発明の好ましい態様を示す。
１  組成物を含むか又は組成物から製造される物品であって、
前記物品が可変の防湿層又はフィルムであり、
前記組成物が、エチレン酸共重合体又は前記エチレン酸共重合体のアイオノマー又はその組み合わせ、脂肪酸又はその金属塩、および追加のポリマーを含むか、又はそれらから製造され、
前記エチレン酸共重合体が、エチレン、およびＣ3~8α，β−エチレン性不飽和カルボン酸から誘導される単位を含み、コモノマーから誘導される単位を含んでもよく、
前記脂肪酸の炭素数が３６未満であり、
前記組成物中の酸部分の５０％より多くが金属イオンで中和されており、
前記追加のポリマーが、前記組成物中に、前記組成物の重量を基準にして約３０％〜約７０％存在し、エチレン含有ポリマー、又はプロピレン含有ポリマー、又はこれらの２つ以上の組み合わせを含む、
物品。
２  前記物品がフィルム又はシートであり、前記金属イオンがナトリウム塩、カリウム塩、又はその両方から誘導されたアルカリ金属イオンを少なくとも５０％含み、他の金属イオンの半数以上がアルカリ金属イオンであり、
前記Ｃ3~8α，β−エチレン性不飽和カルボン酸が、（メタ）アクリル酸であり、
前記脂肪酸が、ＯＨ-、Ｒ1基、ＯＲ1基で置換されており、各Ｒ1が独立してＣ1〜Ｃ8アルキルであり、
前記コモノマーが、アルキル（メタ）アクリレート、一酸化炭素、二酸化硫黄、アクリロニトリル、無水マレイン酸、マレイン酸ジメチル、マレイン酸ジエチル、マレイン酸ジブチル、フマル酸ジメチル、フマル酸ジエチル、フマル酸ジブチル、フマル酸ジメンチル、アクリル酸グリシジル、メタクリル酸グリシジル、およびグリシジルビニルエーテルを含み、前記エステルが、１種類以上のＣ1〜Ｃ4アルコール（例えば、メチルアルコール、エチルアルコール、ｎ−プロピルアルコール、イソプロピルアルコールおよびｎ−ブチルアルコール）、又はこれらの２つ以上の組み合わせであってもよく、
前記追加のポリマーが、前記組成物中に、前記全組成物の約３０重量％〜約６０重量％存在する、
上記１に記載の物品。
３  前記脂肪酸が、ステアリン酸、ベヘン酸、１２−ヒドロキシステアリン酸、イソステアリン酸又はこれらの組み合わせである、上記１又は２に記載の物品。
４  前記追加のポリマーが、前記組成物中に約３５〜約６０重量％存在し、エチレン含有ポリマー、又はプロピレン含有ポリマー、又はこれらの組み合わせを含み、
前記エチレン含有ポリマーが、ポリエチレン、エチレンプロピレン共重合体、エチレン／プロピレン／ジエンモノマー三元共重合体、エチレン共重合体、又はこれらの２つ以上の組み合わせを含み、前記ポリエチレンが、高密度ポリエチレン、低密度ポリエチレン、直鎖低密度ポリエチレン、超低密度（ｖｅｒｙ  ｌｏｗ  ｄｅｎｓｉｔｙ）ポリエチレン、超低密度（ｕｌｔｒａ  ｌｏｗ  ｄｅｎｓｉｔｙ）ポリエチレン、メタロセン触媒で製造されたポリエチレン、又はこれらの２つ以上の組み合わせを含み、前記エチレン共重合体が、エチレンと、アルキル（メタ）アクリレート、酢酸ビニル、一酸化炭素、ジカルボン酸無水物、又はこれらの２つ以上の組み合わせからなる群から選択される少なくとも１種類のコモノマーから誘導され、
前記プロピレン含有ポリマーが、ポリプロピレン単独重合体、ポリプロピレン共重合体、又はこれらの組み合わせを含む、
上記１〜３のいずれか一項に記載の物品。
５  前記物品がフィルムであり、前記組成物が、エチレン酸共重合体又は前記エチレン酸共重合体のアイオノマー又はこれらの組み合わせ、脂肪酸又はその金属塩、および追加のポリマーから本質的になるか、又はそれらから製造され、前記組成物中の酸部分の６０％より多くが金属イオンで中和されており、前記エチレン共重合体が、エチレン酢酸ビニル共重合体、エチレンアルキル（メタ）アクリレート共重合体、又はこれらの組み合わせである、上記１〜４のいずれか一項に記載の物品。
６  前記組成物中の酸部分の７０％又は８０％より多くが中和されており、前記追加のポリマーが、エチレン／アルキル（メタ）アクリレート共重合体、エチレン酢酸ビニル、低密度ポリエチレン、直鎖低密度ポリエチレン、メタロセンポリエチレン、又はこれらの２つ以上の組み合わせであり、前記追加のポリマーが、前記組成物中に、前記組成物の重量を基準にして約４０％〜約５０％存在する、上記５に記載の物品。
７  紙、断熱材、又は建築用パネルを含む基材をコート、ラミネート、又は接着している、上記１〜６のいずれか一項に記載の物品。
８  前記基材が、断熱板、断熱スラブ、断熱材、石膏ボード、繊維強化セルロース、不織布テキスタイル、又はこれらの２つ以上の組み合わせを含む断熱材用の表面シートであり、前記断熱材が、繊維断熱板、繊維断熱スラブ、発泡断熱スラブ、又はこれらの２つ以上の組み合わせを含む、上記７に記載の物品。
９  前記基材が、パーティクルボード、チップボード、配向性ストランドボード、合板パネリング、石膏ボード、ファイバーボード、セメントボード、木毛セメント板、又はケイ酸カルシウム板、又はこれらの２つ以上の組み合わせを含む建築用パネル用の下地シートを含む、上記７に記載の物品。
１０  物品および少なくとも１つの基材層を含む支持体であって、
前記物品が、上記１〜６のいずれか一項に記載の特徴を有し、
前記基材が、上記８又は９に記載の特徴を有し、
前記支持体が、建築物の建築又は改築用の構造部材に含まれており、
前記基材層が、有孔フィルム、パーティクルボード、チップボード、配向性ストランドボード、合板パネリング、石膏ボード、繊維強化石膏ボード、ファイバーボード、セメントボード、木毛セメント板、ケイ酸カルシウム板、繊維断熱板又は繊維断熱スラブ、発泡断熱スラブ、不織布テキスタイル、繊維強化セルロース、紙、布、又はこれらの２つ以上の組み合わせを含み、
前記基材は、前記物品をコート、ラミネート、又は接着していてもよい、
支持体。
１１  少なくとも１つの基材層が、断熱材、石膏ボード、繊維強化セルロース、不織布テキスタイル、又はこれらの２つ以上の組み合わせであり、前記断熱材が繊維断熱板、繊維断熱スラブ、発泡断熱スラブ、又はこれらの２つ以上の組み合わせを含む、上記１０に記載の支持体。
１２  前記支持体が、少なくとも２つの基材層を含み、前記基材に前記物品がコーティング、ラミネート、又は接着され、多層構造を有する支持体層を形成し、１つ以上の層、前記物品は、基材層と基材層の間に挟まれていてもよく、前記支持体の少なくとも１層の水蒸気拡散が前記物品の水蒸気拡散より大きい、上記１１に記載の支持体。
１３  物品を少なくとも１つの基材に適用し、多層構造を有する支持体を製造する工程と、前記支持体を建築物又はその一部に用いる工程とを含む方法であって、
前記物品が、上記１〜６のいずれか一項に記載の特徴を有し、
前記基材が、上記８又は９に記載の特徴を有し、
前記支持体が、建築物の建築又は改築用の構造部材に含まれており、
前記基材層が、有孔フィルム、パーティクルボード、チップボード、配向性ストランドボード、合板パネリング、石膏ボード、繊維強化石膏ボード、ファイバーボード、セメントボード、木毛セメント板、ケイ酸カルシウム板、繊維断熱板又は繊維断熱スラブ、発泡断熱スラブ、不織布テキスタイル、繊維強化セルロース、紙、布、又はこれらの２つ以上の組み合わせを含み、
前記物品は、前記基材にコーティング、ラミネート、又は接着されていてもよい、
方法。
１４  前記支持体又は前記支持体の少なくとも１層の水蒸気拡散が、前記可変の防湿層の水蒸気拡散より大きい、上記１３に記載の方法。
１５  前記支持体が少なくとも２つの基材層を含み、前記物品は、前記２つの層の間に挟まれていてもよく、前記方法は、前記支持体を、建築物の壁、天井、又は屋根の内装被覆材料と前記断熱材の間に適用する工程を含んでもよい、上記１４に記載の方法。
【手続補正２】
【補正対象書類名】特許請求の範囲
【補正対象項目名】全文
【補正方法】変更
【補正の内容】
【特許請求の範囲】
【請求項１】
組成物を含むか又は組成物から製造される物品であって、
前記物品が可変の防湿層、フィルム又はシートであり、
前記組成物が、（１）エチレン酸共重合体又は前記エチレン酸共重合体のアイオノマー又はその組み合わせ、（２）脂肪酸又はその金属塩、および（３）前記組成物の３０〜７０重量％の追加のポリマーを含むか、又はそれらから製造され、
前記エチレン酸共重合体が、エチレン、Ｃ3~8α，β−エチレン性不飽和カルボン酸、および、任意に、アルキル（メタ）アクリレート、一酸化炭素、二酸化硫黄、アクリロニトリル、無水マレイン酸、マレイン酸ジメチル、マレイン酸ジエチル、マレイン酸ジブチル、フマル酸ジメチル、フマル酸ジエチル、フマル酸ジブチル、フマル酸ジメンチル、アクリル酸グリシジル、メタクリル酸グリシジル、およびグリシジルビニルエーテルを含むコモノマーから誘導される単位を含み、前記エステルが、１種類以上のＣ1〜Ｃ4アルコール（例えば、メチルアルコール、エチルアルコール、ｎ−プロピルアルコール、イソプロピルアルコールおよびｎ−ブチルアルコール）、又はこれらの２つ以上の組み合わせであってもよく、
前記脂肪酸が、ステアリン酸、ベヘン酸、１２−ヒドロキシステアリン酸、イソステアリン酸又はこれらの組み合わせであり、
前記追加のポリマーが、ポリエチレン、エチレンプロピレン共重合体、エチレン／プロピレン／ジエンモノマー三元共重合体、エチレン共重合体、又はこれらの２つ以上の組み合わせであり、前記ポリエチレンが、高密度ポリエチレン、低密度ポリエチレン、直鎖低密度ポリエチレン、超低密度（ｖｅｒｙ  ｌｏｗ  ｄｅｎｓｉｔｙ）ポリエチレン、超低密度（ｕｌｔｒａ  ｌｏｗ  ｄｅｎｓｉｔｙ）ポリエチレン、メタロセン触媒で製造されたポリエチレン、又はこれらの２つ以上の組み合わせを含み、前記エチレン共重合体が、エチレンと、アルキル（メタ）アクリレート、酢酸ビニル、一酸化炭素、ジカルボン酸無水物、又はこれらの２つ以上の組み合わせからなる群から選択される少なくとも１種類のコモノマーから誘導され、
前記組成物中の酸部分の６０％より多くが、ナトリウム塩、カリウム塩、又はその両方から誘導されるアルカリ金属イオンを少なくとも５０％含むアルカリ金属イオンで中和されており、他の金属イオンの大半がアルカリ金属イオンである、
物品。
【請求項２】
前記物品が、フィルムであり、
前記Ｃ3~8α，β−エチレン性不飽和カルボン酸が、（メタ）アクリル酸であり、
前記エチレン酸共重合体が、前記コモノマーから誘導される繰り返し単位を含み、
前記追加のポリマーが、前記組成物中に約３５重量％〜約６０重量％存在し、
前記組成物中の酸部分の７０％又は８０％より多くが金属イオンで中和されており、
前記追加のポリマーが、エチレン／アルキル（メタ）アクリレート共重合体、エチレン酢酸ビニル、低密度ポリエチレン、直鎖低密度ポリエチレン、メタロセン触媒で製造されたポリエチレン、又はこれらの２つ以上の組み合わせであり、
請求項１に記載の物品。
【請求項３】
前記物品が基材にコーティング、ラミネート、又は接着されており、
有孔フィルム、パーティクルボード、チップボード、配向性ストランドボード、合板パネリング、石膏ボード、繊維強化石膏ボード、ファイバーボード、セメントボード、木毛セメント板、ケイ酸カルシウム板、繊維断熱板又は繊維断熱スラブ、発泡断熱スラブ、不織布テキスタイル、繊維強化セルロース、紙、布、又はこれらの２つ以上の組み合わせ、および
前記追加のポリマーが前記組成物中に約４０〜約５０％存在する、
請求項２に記載の物品。
【請求項４】
前記基材が、断熱板、断熱スラブ、断熱材、石膏ボード、繊維強化セルロース、不織布テキスタイル、又はこれらの２つ以上の組み合わせを含む断熱材用の表面シートであり、前記断熱材が、繊維断熱板、繊維断熱スラブ、発泡断熱スラブ、又はこれらの２つ以上の組み合わせを含み、かつ
前記基材が、パーティクルボード、チップボード、配向性ストランドボード、合板パネリング、石膏ボード、ファイバーボード、セメントボード、木毛セメント板、又はケイ酸カルシウム板、又はこれらの２つ以上の組み合わせを含む建築用パネル用の下地シートを含む、請求項３に記載の物品。
【請求項５】
物品を少なくとも１つの基材に適用し、多層構造を有する支持体を製造する工程と、および前記支持体を建築物又はその一部に用いる工程とを含む方法であって、
前記物品が、請求項１又は２に記載の特徴を有し、
前記基材が、請求項３又は４に記載の特徴を有し、
前記支持体が、建築物の建築又は改築用の構造部材に含まれており、
前記基材層が、有孔フィルム、パーティクルボード、チップボード、配向性ストランドボード、合板パネリング、石膏ボード、繊維強化石膏ボード、ファイバーボード、セメントボード、木毛セメント板、ケイ酸カルシウム板、繊維断熱板又は繊維断熱スラブ、発泡断熱スラブ、不織布テキスタイル、繊維強化セルロース、紙、布、又はこれらの２つ以上の組み合わせを含み、
前記物品が任意に前記基材にコーティング、ラミネート、又は接着されており、
前記支持体又は前記支持体の少なくとも１層の水蒸気拡散が、前記可変の防湿層の水蒸気拡散より大きく、
前記支持体が任意に少なくとも２つの基材層を含み、前記物品が任意に前記２つの層の間に挟まれており、前記方法が、任意に、前記支持体を、建築物の壁、天井、又は屋根の内装被覆材料と前記断熱材の間に適用する工程を含む、
方法。